(57)【要約】【課題】ＦＭ中間周波信号に対する復調処理を適正に行うとともに、ＡＭ中間周波信号の搬送波周波数の確実な検出に供されるＦＭ復調部を構成するに好適なものとする。【解決手段】入力されるＦＭ信号に応じた微分パルス信号を発生する微分回路部(155,160) と、微分回路部から得られる微分パルス信号に応じたトリガ信号が供給され、トリガ信号に応じて容量素子(170) の充放電を伴った出力レベル反転動作を行うＭ．Ｍ．部(170,171,172) と、容量素子に充電電流を供給し、その充電電流を外部から供給される制御電圧に応じて変化させる可変電流源部(176,200〜204,206,207, 209〜211,212,213, 215〜217)と、Ｍ．Ｍ．部の出力レベル反転動作の状態に応じたレベルを有する復調出力を得る出力部(180〜183,188)とを備える。【選択図】図１
2005124235.tif 000002
【特許請求の範囲】
【請求項１】
入力される周波数変調信号に微分を施し、上記周波数変調信号に応じた微分パルス信号を発生する入力微分部と、
容量素子を含んで形成され、上記入力微分部から得られる微分パルス信号に応じたトリガ信号が供給されて、該トリガ信号に応じて上記容量素子の充放電を伴った出力レベル反転動作を行うモノステーブル・マルチバイブレータ部と、
上記容量素子に充電電流を供給し、該充電電流を外部から供給される制御電圧に応じて変化させる可変電流源部と、
上記モノステーブル・マルチバイブレータ部の出力レベル反転動作の状態に応じたレベルを有する復調出力を得る出力部と、
を備えて構成されるパルスカウント型復調回路。
【請求項２】
上記入力微分部から得られる微分パルス信号が供給され、該微分パルス信号に応じたパルス信号を形成し、該パルス信号をトリガ信号として上記モノステーブル・マルチバイブレータ部に供給するトリガ信号形成部が設けられたこと特徴とする請求項１記載のパルスカウント型復調回路。
【請求項３】
上記出力部が、上記モノステーブル・マルチバイブレータ部の出力レベル反転動作に応じたパルス電流を送出するパルス電流送出部と、該パルス電流送出部から送出されるパルス電流が供給され、該パルス電流に応じた電圧信号を形成して復調出力を得る電流−電圧変換部とを含んで形成されることを特徴とする請求項１または２記載のパルスカウント型復調回路。
【請求項４】
上記可変電流源部が、実質的に一定の値をとる電流を形成する定電流形成部と、外部から供給される制御電圧に応じた可変値をとる電流を形成する可変電流形成部と、上記実質的に一定の値をとる電流と上記制御電圧に応じた可変値をとる電流とを加算して得られる電流に相当する電流を容量素子に対する充電電流として供給する電流供給部とを含んで形成されることを特徴とする請求項１〜３のいずれかに記載のパルスカウント型復調回路。
【請求項５】
上記入力微分部，トリガ信号形成部，モノステーブル・マルチバイブレータ部，可変電流源部及び出力部が集積回路部品内に組み込まれて形成され、上記可変電流源部に制御電圧を供給する制御電圧供給端子が上記集積回路部品の外部に導出されることを特徴とする請求項２記載のパルスカウント型復調回路。
【発明の詳細な説明】
【技術分野】
【０００１】
本願の特許請求の範囲に記載された発明は、周波数変調放送波信号及び振幅変調放送波信号（ＦＭ放送波信号及びＡＭ放送波信号：  以下、特に断りがない限り、周波数変調をＦＭとあらわし、振幅変調をＡＭとあらわす）の夫々を選択受信し、受信されたＦＭもしくはＡＭ放送波信号に基づく情報再生出力を得る放送波信号受信装置における、受信されたＦＭ放送波信号に基づいて得られるＦＭ信号に対する復調（以下、ＦＭ復調という）に用いられるに好適なパルスカウント型復調回路に関する。
【背景技術】
【０００２】
所謂“ラジオ放送”を行っている放送局から送出されたＦＭ放送波信号もしくはＡＭ放送波信号の受信に使用される、スーパーヘテロダイン受信装置の分野においては、容量素子（バリアブル・コンデンサ）が用いられるアナログ選局方式の採用に代わり、例えば、フェイズ・ロックド・ループ（ＰＬＬ）が用いられるディジタル選局方式の採用が一般化してきている。ディジタル選局方式が採用されたもとにあっては、ＰＬＬが、例えば、マイクロコンピュータによる制御のもとに作動せしめられて、使い勝手に優れた選局部が形成される。
【０００３】
ディジタル選局方式が採用されたスーパーヘテロダイン受信装置に具えられる便利な機能として、自動走査選局動作がある。自動走査選局動作が行われるもとにあっては、マイクロコンピュータにより制御されるＰＬＬによって、ＦＭ放送波信号もしくはＡＭ放送波信号を受信対象とした受信周波数が、予め設定された所定の周波数間隔をおいて順次変化せしめられていく。そして、順次変化していく受信周波数に同調するＦＭ放送波信号もしくはＡＭ放送波信号が存在すると、それが検出されて受信周波数の変化が一時的に停止され、受信周波数に同調するＦＭ放送波信号もしくはＡＭ放送波信号が検出されたことが、インジケータランプ等によって示され、さらには、そのときのＦＭ放送波信号もしくはＡＭ放送波信号を受信して得られる情報再生出力が、例えば、音声出力として送出される状態が自動的に得られる。
【０００４】
斯かる際において、順次変化せしめられていく受信周波数の各々は、各放送局から送出されるＦＭ放送波信号もしくはＡＭ放送波信号の搬送波周波数に対応するものとされる。我が国におけるラジオ放送波信号の場合、ＦＭ放送波信号にあっては、それらの搬送波周波数が、例えば、７６〜９０ＭＨｚの周波数帯域（バンド）内に１００ｋＨｚおきに配されており、また、ＡＭ放送波信号にあっては、それらの搬送波周波数が、例えば、５３１〜１６０２ｋＨｚのバンド内に９ｋＨｚおきに配されている。従って、ＦＭ放送波信号を選択受信するための受信周波数は、７６〜９０ＭＨｚのバンド内に１００ｋＨｚおきに配される搬送波周波数の夫々に対応するように変化せしめられ、また、ＡＭ放送波信号を選択受信するための受信周波数は、５３１〜１６０２ｋＨｚのバンド内に９ｋＨｚおきに配される搬送波周波数の夫々に対応するように変化せしめられる。
【０００５】
ディジタル選局方式が採用されたスーパーヘテロダイン受信装置において自動走査選局動作が行われるにあたり、所望の放送局からのＦＭ放送波信号もしくはＡＭ放送波信号に代えて、他の放送局からのＦＭ放送波信号もしくはＡＭ放送波信号が不所望に検出されてしまう誤検出が生じる虞がある。特に、ラジオ放送波信号におけるＡＭ放送波信号の場合、相互に隣接する二つの搬送波周波数の間隔が、例えば、９ｋＨｚというように比較的狭いので、それらが受信対象とされる際に、所望の放送局からのＡＭ放送波信号に代えて、そのＡＭ放送波信号の搬送波周波数に隣接する搬送波周波数を有したＡＭ放送波信号を送出する放送局（隣接局）からのＡＭ放送波信号が検出されることになる事態が生じ易い。
【０００６】
そのため、従来においては、マイクロコンピュータにより制御されるＰＬＬによってＡＭ放送波信号を受信対象とした受信周波数が順次変化せしめられていくもとにあって、ＡＭ放送波信号が受信される毎に、受信されたＡＭ放送波信号に周波数変換が施されて得られるＡＭ中間周波信号を、受信周波数を順次変化させていくＰＬＬを制御するマイクロコンピュータに供給し、マイクロコンピュータによってＡＭ中間周波信号の搬送波周波数を検出し、受信されたＡＭ放送波信号が適正なものか、あるいは、誤検出によるものかを判断するようになすことが提案されている。マイクロコンピュータによるＡＭ中間周波信号の搬送波周波数の検出は、通常、ＡＭ中間周波信号の搬送波成分に基づくパルスが形成され、そのパルスが計数されることによって行われる。
【０００７】
ところが、ＡＭ中間周波信号の搬送波成分に基づくパルスが形成されるにあたっては、ＡＭ中間周波信号の搬送波成分を矩形波信号となるように波形整形が施されることになり、それに伴う弊害が生じる。即ち、ＡＭ中間周波信号の搬送波成分が矩形波信号とされてマイクロコンピュータに入力されることになるが、矩形波信号とされるがゆえに、ＡＭ中間周波信号の搬送波周波数の２倍，３倍等の周波数を有した高調波成分が発生する。そして、斯かる高調波成分が、ＡＭ放送波信号に対する受信端（受信アンテナコイル等）に疑似入力信号として作用し、その周波数に比較的近い搬送波周波数を有したＡＭ放送波信号が受信されるに際して妨害波となってしまうのである。
【０００８】
例えば、ＡＭ中間周波信号の搬送波周波数が４５０ｋＨｚとされると、ＡＭ中間周波信号の搬送波成分が矩形波信号とされることにより、周波数を９００ｋＨｚ（２倍），１３５０ｋＨｚ（３倍）等とする高調波成分が比較的大なる信号強度を有するものとして発生し、それらが受信端に混入して、搬送波周波数を９００ｋＨｚあるいは１３５０ｋＨｚ付近とするＡＭ放送波信号の受信を妨害する事態がまねかれることになる。
【０００９】
そこで、ＡＭ中間周波信号の搬送波成分に基づくパルスが計数されて行われるＡＭ中間周波信号の搬送波周波数の検出に代えて、ＦＭ放送波信号の受信時に、受信されたＦＭ放送波信号に周波数変換が施されて得られるＦＭ中間周波信号に対して復調処理を施すＦＭ復調部を、ＡＭ中間周波信号の搬送波周波数の検出に利用することが考えられる。即ち、ＡＭ放送波信号の受信時に、ＡＭ中間周波信号をＦＭ復調部に供給し、それによりＦＭ復調部から得られることになるＡＭ中間周波信号の搬送波周波数に応じた復調出力信号によって、ＡＭ中間周波信号の搬送波周波数を検出するのである。
【００１０】
このようにＡＭ中間周波信号の搬送波周波数の検出にＦＭ復調部を利用することができれば、上述のような、ＡＭ中間周波信号の搬送波周波数の検出にあたってＡＭ中間周波信号の搬送波成分が矩形波信号とされることにより生じる受信妨害が抑制されることになる。
【発明の開示】
【発明が解決しようとする課題】
【００１１】
しかしながら、ＦＭ放送波信号の受信時に、受信されたＦＭ放送波信号に周波数変換が施されて得られるＦＭ中間周波信号に対して復調処理を施すＦＭ復調部を、ＡＭ放送波信号の受信時に、受信されたＡＭ放送波信号に周波数変換が施されて得られるＡＭ中間周波信号の搬送波周波数の検出に利用する際には、ＦＭ復調部に供給されるＦＭ中間周波信号の搬送波周波数（例えば、１０．７ＭＨｚが周波数変換されて得られる１５０ｋＨｚ）が含まれる周波数帯域と、ＦＭ復調部に供給されるＡＭ中間周波信号の搬送波周波（例えば、４５０ｋＨｚが周波数変換されて得られる４５ｋＨｚ）が含まれる周波数帯域とが異なることになる。それゆえ、ＦＭ復調部にＦＭ中間周波信号が入力信号として供給される場合とＦＭ復調部にＡＭ中間周波信号が入力信号として供給される場合とで、ＦＭ復調部の入力信号に対する復調特性を、ＦＭ中間周波信号に対する復調処理に適した特性とＡＭ中間周波信号に対する復調処理に適した特性との夫々への切換え及び調整が行われることが必要とされる。
【００１２】
そして、斯かるＦＭ復調部の入力信号に対する復調特性についての切換調整は、ＦＭ放送波信号の受信時とＡＭ放送波信号の受信時との夫々に応じて、容易かつ確実に行われなければならない。取り分け、昨今におけるＦＭ復調部は、大規模集積回路（ＬＳＩ）素子に含まれるものとされるので、ＦＭ復調部の入力信号に対する復調特性についての切換え及び調整が容易かつ的確に行えるものとされることは極めて重要である。
【００１３】
斯かる点に鑑み、本願の特許請求の範囲に記載された発明は、ＦＭ放送信号及びＡＭ放送波信号の夫々を選択受信し、受信されたＦＭもしくはＡＭ放送波信号に基づく情報再生出力を得る放送波信号受信装置において、受信されたＦＭ放送波信号に基づくＦＭ中間周波信号に対する復調処理を適正に行うとともに、受信されたＡＭ放送波信号に基づくＡＭ中間周波信号の搬送波周波数の確実な検出に供されるものとされるに好適な、復調特性についての切換え及び調整が容易かつ的確に行えるパルスカウント型復調回路を提供する。
【課題を解決するための手段】
【００１４】
本願の特許請求の範囲における請求項１から請求項５までのいずれかに記載された発明に係るパルスカウント型復調回路は、入力されるＦＭ信号に微分を施し、そのＦＭ信号に応じた微分パルス信号を発生する入力微分部と、容量素子を含んで形成され、入力微分部から得られる微分パルス信号に応じたトリガ信号が供給されて、そのトリガ信号に応じて容量素子の充放電を伴った出力レベル反転動作を行うモノステーブル・マルチバイブレータ部と、容量素子に充電電流を供給し、その充電電流を外部から供給される制御電圧に応じて変化させる可変電流源部と、モノステーブル・マルチバイブレータ部の出力レベル反転動作の状態に応じたレベルを有する復調出力を得る出力部と、を備えて構成される。
【発明の効果】
【００１５】
上述の如くに構成される本願の特許請求の範囲における請求項１から請求項５までのいずれかに記載された発明に係るパルスカウント型復調回路にあっては、モノステーブル・マルチバイブレータ部に含まれる容量素子に充電電流を供給し、その充電電流を外部から供給される制御電圧に応じて変化させる可変電流源部が備えられることにより、外部から供給される制御電圧によって、その復調特性、例えば、復調中心周波数，復調感度等の切換え及び調整が容易かつ的確に行われることになる。従って、本願の特許請求の範囲における請求項１から請求項５までのいずれかに記載された発明に係るパルスカウント型復調回路は、入力されるＦＭ信号についての復調処理を、それに適した復調特性をもって適正に行なうことができるのみならず、ＡＭ信号が入力されるときには、入力されるＡＭ信号についての復調処理を、それに適した復調特性をもって適正に行うことができ、その結果得られるＡＭ信号の搬送波周波数に応じた復調出力信号が、当該ＡＭ信号の搬送波周波数の確実な検出に供され得ることになるものとされる。
【００１６】
このように、本願の特許請求の範囲における請求項１から請求項５までのいずれかに記載された発明に係るパルスカウント型復調回路は、ＦＭ放送信号及びＡＭ放送波信号の夫々を選択受信し、受信されたＦＭもしくはＡＭ放送波信号に基づく情報再生出力を得る放送波信号受信装置において、受信されたＦＭ放送波信号に基づくＦＭ中間周波信号に対する復調処理を適正に行うとともに、受信されたＡＭ放送波信号に基づくＡＭ中間周波信号の搬送波周波数の確実な検出に供されるＦＭ復調部を構成するに好適なものである。
【発明を実施するための最良の形態】
【００１７】
本願の特許請求の範囲に記載された発明を実施するための最良の形態は、以下に述べられる実施例をもって説明される。
【実施例】
【００１８】
図１は、本願の特許請求の範囲における請求項１から請求項５までのいずれかに記載された発明に係るパルスカウント型復調回路の一例を示す。
【００１９】
図１に示される例においては、入力端子１５１に入力信号として供給される、例えば、ＦＭ放送波信号に基づいて形成されたＦＭ中間周波信号ＳＦＩ２、もしくは、ＡＭ放送波信号に基づいて形成されたＡＭ中間周波信号ＳＡＩ２に対する復調処理が行われる。入力端子１５１に供給された入力信号であるＦＭ中間周波信号ＳＦＩ２もしくはＡＭ中間周波信号ＳＡＩ２は、容量素子１５２及び抵抗素子１５３及び１５４により形成される微分回路部１５５によって微分されるとともに、演算増幅器１５６を含んで形成される極性反転部により極性反転処理が施された後、容量素子１５７及び抵抗素子１５８及び１５９により形成される微分回路部１６０によって微分される。
【００２０】
微分回路部１５５から得られる立上りパルスと立下りパルスとが交互に連なる微分パルス信号ＰｐがＮＰＮ型のトランジスタ１６１のベースに供給されるとともに、微分回路部１６０から得られる立下りパルスと立上りパルスとが交互に連なる微分パルス信号ＰｎがＮＰＮ型のトランジスタ１６２のベースに供給される。トランジスタ１６１のコレクタは、抵抗素子１６３を介して、直流電圧Ｖ０（例えば、２Ｖ）を供給する直流電圧源１６４に接続されたＰＮＰ型のトランジスタ１６５により形成される電流源に接続されており、トランジスタ１６２のコレクタは、抵抗素子１６６を介して、直流電圧源１６４に接続されたＰＮＰ型のトランジスタ１６７により形成される電流源に接続されている。そして、トランジスタ１６１は、微分回路部１５５からの微分パルス信号Ｐｐに含まれる立下りパルスの到来毎に、その立下りパルスの期間においてオフ状態とされ、同様に、トランジスタ１６２は、微分回路部１６０からの微分パルス信号Ｐｎに含まれる立下りパルスの到来毎に、その立下りパルスの期間においてオフ状態とされる。
【００２１】
トランジスタ１６１がオフ状態とされる期間においては、トランジスタ１６１のコレクタ及びエミッタに、夫々、ベース及びエミッタが接続されたＮＰＮ型のトランジスタ１６８がオン状態とされ、また、トランジスタ１６２がオフ状態とされる期間においては、トランジスタ１６２のコレクタ及びエミッタに、夫々、ベース及びエミッタが接続されたＮＰＮ型のトランジスタ１６９がオン状態とされる。トランジスタ１６８及びトランジスタ１６９の夫々のコレクタは、共通接続されて、容量素子１７０の一端に接続されている。それにより、トランジスタ１６８もしくはトランジスタ１６９がオン状態とされる期間毎に、容量素子１７０に蓄積された電荷がトランジスタ１６８のコレクタ─エミッタ通路もしくはトランジスタ１６９のコレクタ─エミッタ通路を通じて放電される。
【００２２】
容量素子１７０の一端は、ＮＰＮ型のトランジスタ１７１のベースにも接続されており、また、容量素子１７０の他端は、ＮＰＮ型のトランジスタ１７２のコレクタ接続されている。トランジスタ１７１のコレクタは、直流電圧源１６４に接続されたＰＮＰ型のトランジスタ１７３により形成される電流源に接続され、また、トランジスタ１７２のコレクタは、直流電圧源１６４に接続されたＰＮＰ型のトランジスタ１７４により形成される電流源に接続されていて、トランジスタ１７１及びトランジスタ１７２は、モノステーブル・マルチバイブレータ部（Ｍ．Ｍ．部）を形成している。
【００２３】
そして、トランジスタ１６８もしくはトランジスタ１６９がオン状態とされる毎に、トランジスタ１７１のベースに立下りパルスがトリガ信号として供給されることになり、それによってトランジスタ１７１がオフ状態とされる。従って、トランジスタ１６１，１６２，１６８及び１６９は、微分パルス信号Ｐｐ及び微分パルス信号Ｐｎの両者に基づいて、トランジスタ１７１及び１７２により形成されるＭ．Ｍ．部に対するトリガ信号を発生するトリガ信号形成部を構成していることになる。
【００２４】
トランジスタ１７１及び１７２により形成されるＭ．Ｍ．部において、トランジスタ１７１がオフ状態とされると、トランジスタ１７１のコレクタに抵抗素子１７５を介してベースが接続されたトランジスタ１７２がオン状態とされる。それにより、トランジスタ１７２のコレクタ─エミッタ通路を通じて、容量素子１７０の充電電流が流れ、容量素子１７０が充電される。容量素子１７０の充電電流は、そのコレクタが容量素子１７０の一端に接続されたＰＮＰ型トランジスタ１７６から流出する可変電流Ｉｇによって形成される。
【００２５】
容量素子１７０の充電が進んでトランジスタ１７１のベース電位が所定の値に達すると、トランジスタ１７１がオン状態とされるとともにトランジスタ１７２がオフ状態とされ、Ｍ．Ｍ．部が、トリガ信号形成部から次のトリガ信号としての立下りパルスがトランジスタ１７１のベースに供給されるまでの間、安定状態におかれる。そして、トランジスタ１７１のベースに次のトリガ信号としての立下りパルスが供給されると、上述の動作を繰り返す。それにより、Ｍ．Ｍ．部を形成するトランジスタ１７１のコレクタに、入力端子１５１に供給された入力信号である、ＦＭ中間周波信号ＳＦＩ２もしくはＡＭ中間周波信号ＳＡＩ２に応じたパルス列信号ＰＯが得られる。
【００２６】
斯かる際、Ｍ．Ｍ．部を形成するトランジスタ１７１のコレクタに得られるパルス列信号ＰＯにおける各パルスのパルス幅（時間）は、容量素子１７０の充電電流、即ち、トランジスタ１７６から流出する可変電流Ｉｇの値と容量素子１７０の容量値とによって設定され、従って、トランジスタ１７６から流出する可変電流Ｉｇの値が変化せしめられると、パルス列信号ＰＯにおける各パルスのパルス幅が可変電流Ｉｇの値の変化に応じて調整されることになる。
【００２７】
エミッタが直流電圧源１６４に接続されるとともにコレクタ及びベースが共通接続され、その共通接続されたコレクタ及びベースに電流源１７８が接続されたＰＮＰ型のトランジスタ１７９は、電流源を形成するトランジスタ１６５，１６７，１７３及び１７４の夫々とでカレントミラー部を形成している。
【００２８】
Ｍ．Ｍ．部を形成するトランジスタ１７１のコレクタに得られるパルス列信号ＰＯは、抵抗素子１８０を通じてＮＰＮ型のトランジスタ１８１のベースに供給され、それによって、トランジスタ１８１が、パルス列信号ＰＯを形成する各パルスに応じたスイッチングが行われる状態におかれる。トランジスタ１８１のコレクタ側には、カレントミラー部を形成するＮＰＮ型のトランジスタ１８２及び１８３が配されており、さらに、トランジスタ１８２及び１８３のコレクタ側には、カレントミラー部を形成するＰＮＰ型のトランジスタ１８４，１８５及び１８６及び電流源１８７が配されている。
【００２９】
そして、トランジスタ１８１が、パルス列信号ＰＯを形成する各パルスに応じたスイッチングが行われる状態におかれることにより、カレントミラー部を形成するトランジスタ１８２及び１８３がオン状態とオフ状態とを交互に繰り返してとり、それにより、トランジスタ１８３のコレクタが接続されたトランジスタ１８５のコレクタから、パルス電流ＩＰＯが電流−電圧変換部１８８に送出される。即ち、抵抗素子１８０，トランジスタ１８１〜１８６及び電流源１８７は、Ｍ．Ｍ．部を形成するトランジスタ１７１のコレクタに得られるパルス列信号ＰＯに応じたパルス電流ＩＰＯを形成して、そのパルス電流ＩＰＯを電流−電圧変換部１８８に送出するパルス電流送出部を形成しているのである。
【００３０】
パルス電流ＩＰＯは、パルス列信号ＰＯに応じたもの、従って、入力端子１５１に供給された入力信号である、ＦＭ中間周波信号ＳＦＩ２もしくはＡＭ中間周波信号ＳＡＩ２に応じたものとされる。
【００３１】
電流−電圧変換部１８８は、演算増幅器１９０を含んで構成されており、演算増幅器１９０の正極入力端に直流電圧源１９１からの直流電圧Ｖ２（例えば、１．２５Ｖ）が供給され、また、演算増幅器１９０の負極入力端と出力端との間に、パルス電流ＩＰＯが流入する容量素子１９２，抵抗素子１９３及び１９４、及び、容量素子１９５を含んだ回路部が接続されている。そして、電流−電圧変換部１８８にあっては、容量素子１９２に流入するパルス電流ＩＰＯが積算されて電圧に変換される電流−電圧変換動作が行われて、演算増幅器１９０の出力端に設けられた出力端子１９６に、パルス電流ＩＰＯに応じた出力電圧信号が、ＦＭ中間周波信号ＳＦＩ２もしくはＡＭ中間周波信号ＳＡＩ２の搬送波信号についての復調出力信号ＳＯＦとして導出される。
【００３２】
このような図１に示される例にあっては、抵抗素子１８０，トランジスタ１８１〜１８６及び電流源１８７によって形成されるパルス電流送出部と電流−電圧変換部１８８とにより、パルス列信号ＰＯに基づいて復調出力信号ＳＯＦを得る出力部が形成されている。
【００３３】
さらに、図１に示される例においては、容量素子１７０の充電電流を形成するものとして可変電流Ｉｇを送出する、トランジスタ１７６を含んだ可変電流源部が設けられている。可変電流源部にあっては、各々のエミッタが共通接続された差動対を形成する二個のＮＰＮ型のトランジスタ２００及び２０１が備えられている。そして、トランジスタ２００及び２０１の夫々の共通接続されたエミッタには、カレントミラー部を形成するＰＮＰ型のトランジスタ２０２，２０３及び２０４及び電流源２０５のうちのトランジスタ２０３を通じて流れる電流が供給される、ＮＰＮ型のトランジスタ２０６及び２０７と抵抗素子２０８とから成る電流源部が接続されている。
【００３４】
また、差動対を形成する二個のトランジスタ２００及び２０１のうちのトランジスタ２００のコレクタには、カレントミラー部を形成するトランジスタ２０２，２０３及び２０４及び電流源２０５のうちのトランジスタ２０４を通じて流れる電流が供給される、ＮＰＮ型トランジスタ２０９及び２１０と抵抗素子２１１とから成る電流源部が接続されている。
【００３５】
トランジスタ２００のコレクタと直流電圧源１６４との間には、コレクタとベースとが共通接続されたＰＮＰ型のトランジスタ２１２が接続され、また、トランジスタ２０１のコレクタと直流電圧源１６４との間には、コレクタとベースとが共通接続されたＰＮＰ型のトランジスタ２１３が接続されている。トランジスタ２１２は、そのベースに連結されたＰＮＰ型のトランジスタ２１５，２１６及び２１７，トランジスタ１７６、及び、電流源２１８と共に、カレントミラー部を形成している。
【００３６】
そして、トランジスタ２０１のベースには、直流電圧源２１９からの直流電圧Ｖ１（例えば、１．６５Ｖ）が供給されており、一方、トランジスタ２００のベースには、制御電圧信号ＶＣが供給される制御信号端子２２０が設けられている。
【００３７】
このような可変電流源部において、トランジスタ２００及び２０１の各々におけるコレクタ−エミッタ通路を夫々電流Ｉ１及び電流Ｉ２が流れているとき、トランジスタ２０６及び２０７と抵抗素子２０８とから成る電流源部には、電流Ｉ１と電流Ｉ２との和に相当する一定の電流Ｉ３（Ｉ３＝Ｉ１＋Ｉ２）が流れている。そして、トランジスタ２０９及び２１０と抵抗素子２１１とから成る電流源部に流れている一定の電流をＩ４とすると、トランジスタ２１２を流れる電流Ｉ５は電流Ｉ１と電流Ｉ４との和に相当するものとなる（Ｉ５＝Ｉ１＋Ｉ４）。
【００３８】
トランジスタ２１２，２１５，２１６，２１７及び１７６と電流源２１８とで形成されるカレントミラー部において、トランジスタ２１２を流れる電流Ｉ５とトランジスタ１７６を流れる可変電流Ｉｇとの比を１：ｎ（一定）とすると、トランジスタ１７６を流れる可変電流Ｉｇは、
Ｉｇ＝Ｉ５／ｎ＝（Ｉ１＋Ｉ４）／ｎ  となる。
【００３９】
斯かるもとで、制御信号端子２２０に供給される制御電圧信号ＶＣが変化せしめられると、それにより、トランジスタ２００のベース電位が変化せしめられる。このとき、トランジスタ２０１のベースには直流電圧Ｖ１が供給されていてトランジスタ２０１のベース電位は一定に維持されるので、トランジスタ２００におけるコレクタ−エミッタ通路を流れる電流Ｉ１とトランジスタ２０１におけるコレクタ−エミッタ通路を流れる電流Ｉ２との比が変化せしめられる。そして、電流Ｉ１と電流Ｉ２との和は一定（電流Ｉ３）に維持されるので、電流Ｉ１が制御電圧信号ＶＣに応じて変化せしめられることになる。
【００４０】
このとき、トランジスタ２０９及び２１０と抵抗素子２１１とから成る電流源部に流れている電流Ｉ４は変化しないので、電流Ｉ１の制御電圧信号ＶＣに応じた変化に伴い、トランジスタ１７６を流れる可変電流Ｉｇ（Ｉｇ＝（Ｉ１＋Ｉ４）／ｎ  ）が変化せしめられることになる。即ち、制御電圧信号ＶＣが変化せしめられることにより、トランジスタ１７６から送出されて、容量素子１７０の充電連流を形成する可変電流Ｉｇが変化せしめられて調整されることになる。
【００４１】
容量素子１７０の充電連流を形成する可変電流Ｉｇの変化は、図１に示される例の入力信号に対しての復調特性の変化、例えば、復調中心周波数，復調感度等の変化をもたらすことになる。即ち、制御電圧信号ＶＣが変化せしめられることにより、可変電流Ｉｇが変化せしめられて調整され、その結果、図１に示される例の入力信号に対しての復調特性の切換え及び調整が行われるのである。
【００４２】
トランジスタ２００におけるコレクタ−エミッタ通路を流れる電流Ｉ１とトランジスタ２０１におけるコレクタ−エミッタ通路を流れる電流Ｉ２との比をδとし、トランジスタ２０７及び２１０の夫々におけるベース−エミッタ間電圧をＶｂｅとし、抵抗素子２０８の抵抗値をＲ８とし、抵抗素子２１０の抵抗値をＲ１０とすると、電流Ｉ１，Ｉ２，Ｉ３，Ｉ４，Ｉ５及びＩｇに関して以下の関係が成立する。
Ｉ１＝Ｉ２／δ＝（Ｉ３−Ｉ１）／δ  ＝Ｉ３／（１＋δ）
Ｉ３＝Ｖｂｅ／Ｒ８
Ｉ４＝Ｖｂｅ／Ｒ１０
Ｉｇ＝（Ｉ１＋Ｉ４）／ｎ＝（Ｉ３／（１＋δ）＋Ｉ４）／ｎ
＝（（Ｖｂｅ／Ｒ８）／（１＋δ）＋Ｖｂｅ／Ｒ１０）／ｎ
即ち、制御電圧信号ＶＣの変化による電流Ｉ１と電流Ｉ２との比δの変化に伴う可変電流Ｉｇの変化は、上述の式に従うことになる。
【００４３】
このようなもとで、例えば、制御電圧信号ＶＣが切換変化せしめられると、それに伴って可変電流Ｉｇも切換変化せしめられ、その結果、図１に示される例の入力信号に対しての復調特性が、例えば、図２に示される直線Ｌｆによりあらわされる復調特性から図２に示される直線Ｌａによりあらわされる復調特性への切換え及びそれに伴う調整、あるいは、その逆の切換え及びそれに伴う調整が行われる。図２に示される直線Ｌｆによりあらわされる復調特性は、復調中心周波数を１５０ｋＨｚとして、復調感度が比較的低いものとされており、例えば、ＦＭ中間周波信号ＳＦＩ２に対する復調処理に適している。それに対して、図２に示される直線Ｌａによりあらわされる復調特性は、復調中心周波数を４５ｋＨｚとして、復調感度が比較的高いものとされており、例えば、ＡＭ中間周波信号ＳＡＩ２に対する復調処理に適している。
【００４４】
このようにして、図１に示される例にあっては、その外部から供給される制御電圧信号ＶＣによって、入力信号に対する復調特性の切換え及び調整を容易かつ的確に行うことができ、例えば、図２に示される直線Ｌｆによりあらわされるような、ＦＭ中間周波信号ＳＦＩ２に対する復調処理に適した復調特性と、図２に示される直線Ｌａによりあらわされるような、ＡＭ中間周波信号ＳＡＩ２に対する復調処理に適した復調特性とを、容易かつ的確に設定することができることになる。
【００４５】
図３は、図１に示される例が適用されて構成されたＦＭ復調部を備える放送波信号受信装置の一例を示す。
【００４６】
図３に示される放送波信号受信装置にあっては、例えば、搬送波周波数を７６〜９０ＭＨｚのバンド内のものとする複数のラジオ放送局の夫々からのＦＭ放送波信号を受けるためのＦＭ信号受信アンテナ１１と、例えば、搬送波周波数を５３１〜１６０２ｋＨｚのバンド内のものとする複数のラジオ放送局の夫々からのＡＭ放送波信号を受けるためのＡＭ信号受信アンテナ１２とが備えられており、ＦＭ放送波信号を選択受信する状態とＡＭ放送波信号を選択受信する状態とが選択的に設定される。
【００４７】
ＦＭ放送波信号を選択受信する状態とＡＭ放送波信号を選択受信する状態とについての選択的設定は、動作制御部を形成するものとして備えられた制御ユニット１３により行われる。制御ユニット１３には、受信バンド選択部１４からのＦＭ放送波信号バンドもしくはＡＭ放送波信号バンドを指示するコマンド信号ＣＢが、制御端子１５を通じて供給されるとともに、選局部１６からの自動走査選局動作を指示するコマンド信号ＣＳ、あるいは、特定の放送局からのＦＭ放送波信号もしくはＡＭ放送波信号についての選局動作を指示するコマンド信号ＣＣが、制御端子１７を通じて供給される。
【００４８】
受信バンド選択部１４からのコマンド信号ＣＢが、ＦＭ放送波信号バンドを指示するものとして、制御端子１５を通じて制御ユニット１３に供給されると、それに応じて、制御ユニット１３から、図３に示される例にＦＭ放送波信号を選択受信する状態をとらせるための、例えば、高レベルをとる制御電圧信号ＶＦＡが送出される。この高レベルをとる制御電圧信号ＶＦＡにより、スイッチ１８についてのその可動接点１８ｃが選択接点１８ｆに接続される状態（破線により示される状態）とされる制御，スイッチ１９についてのその可動接点１９ｃが選択接点１９ｆに接続される状態（破線により示される状態）とされる制御、及び、図示が省略された他の部分についての制御が行われて、ＦＭ放送波信号を選択受信する状態が設定される。
【００４９】
ＦＭ放送波信号を選択受信する状態が設定されたもとで、選局部１６からのＦＭ放送波信号についての自動走査選局動作を指示するものとされたコマンド信号ＣＳ、あるいは、特定のラジオ放送局からのＦＭ放送波信号についての選局動作を指示するコマンド信号ＣＣが、制御端子１７を通じて制御ユニット１３に供給されると、それに応じて、制御ユニット１３から、選局制御電圧信号ＶＣＦが送出されて同調増幅部２０及び局部発振部２１に供給される。それにより、同調増幅部２０において選局制御電圧信号ＶＣＦに応じた同調周波数が設定されるとともに、局部発振部２１において選局制御電圧信号ＶＣＦに応じた発振周波数が設定される。
【００５０】
このようにして同調増幅部２０において選局制御電圧信号ＶＣＦに応じて設定された同調周波数が、そのときＦＭ信号受信アンテナ１１に到来している複数のラジオ放送局の夫々からのＦＭ放送波信号の一つにおける搬送波周波数に一致もしくは極めて近接することになると、そのＦＭ放送波信号が、アンテナ端子２２を通じて同調増幅部２０により受信され、それとともに増幅されて、受信ＦＭ放送波信号ＳＦとして周波数変換部２３に供給される。周波数変換部２３には、選局制御電圧信号ＶＣＦに応じて設定された発振周波数をもって発振する局部発振部２１からの発振出力信号ＳＬＦ１も供給される。
【００５１】
周波数変換部２３においては、受信ＦＭ放送波信号ＳＦが発振出力信号ＳＬＦ１に基づいて周波数変換され、ＦＭ中間周波信号ＳＦＩ１が形成される。ＦＭ中間周波信号ＳＦＩ１は、受信ＦＭ放送波信号ＳＦの搬送波周波数と発振出力信号ＳＬＦ１の周波数との差の周波数に相当する搬送波周波数を有し、その搬送波周波数は、例えば、１０．７ＭＨｚとされる。そして、ＦＭ中間周波信号ＳＦＩ１は、さらに、周波数変換部２４に供給され、周波数変換部２４には、予め設定された一定の発振周波数をもって発振する局部発振部２５からの発振出力信号ＳＬＦ２も供給される。
【００５２】
周波数変換部２４においては、ＦＭ中間周波信号ＳＦＩ１が発振出力信号ＳＬＦ２に基づいて周波数変換され、ＦＭ中間周波信号ＳＦＩ２が形成される。ＦＭ中間周波信号ＳＦＩ２は、ＦＭ中間周波信号ＳＦＩ１の搬送波周波数と発振出力信号ＳＬＦ２の周波数との差の周波数に相当する搬送波周波数を有し、その搬送波周波数は、例えば、１５０ｋＨｚとされる。そして、周波数変換部２４から得られる搬送波周波数を、例えば、１５０ｋＨｚとするＦＭ中間周波信号ＳＦＩ２は、中間周波帯域フィルタ部（ＩＦ帯域フィルタ部）２６に供給される。
【００５３】
上述の同調増幅部２０，局部発振部２１及び２５、及び、周波数変換部２３及び２４を含む部分は、ＦＭ放送波信号を選択受信し、受信されたＦＭ放送波信号に基づくＦＭ中間周波信号を得るＦＭ放送波信号選択受信部を形成している。
【００５４】
ＩＦ帯域フィルタ部２６を通過したＦＭ中間周波信号ＳＦＩ２は、スイッチ１８を選択接点１８ｆ及び可動接点１８ｃを通じて通過し、中間周波リミッタ増幅部（ＩＦリミッタ増幅部）２７に供給される。ＩＦリミッタ増幅部２７は、ＦＭ中間周波信号ＳＦＩ２を、一定のゲインをもって増幅し、その振幅が一定となるように振幅制限を加えて、ＦＭ復調部２８に供給する。ＦＭ復調部２８は、図１に示される本願の特許請求の範囲における請求項１から請求項５までのいずれかに記載された発明に係るパルスカウント型復調回路の一例が適用されて構成される。
【００５５】
このとき、ＦＭ復調部２８には、制御ユニット１３から送出される高レベルをとる制御電圧信号ＶＦＡが供給される加算部２９からの、高レベルをとる制御電圧信号ＶＦＡを含んだ制御電圧信号ＶＣが供給されており、ＦＭ復調部２８における復調特性が、高レベルをとる制御電圧信号ＶＦＡに応じて、例えば、図２の復調特性図において直線Ｌｆによりあらわされるような、ＦＭ中間周波信号ＳＦＩ２の復調に適したものに設定される。
【００５６】
そして、ＦＭ復調部２８においては、ＩＦリミッタ増幅部２７からの振幅が一定となるように振幅制限されたＦＭ中間周波信号ＳＦＩ２についての、図２の復調特性図において直線Ｌｆによりあらわされるような復調特性をもっての復調が行われ、ＦＭ復調部２８から復調出力信号ＳＯＦが得られる。この復調出力信号ＳＯＦは、出力増幅部３０に供給される。出力増幅部３０は、ミューティング機能を備えたものとされている。
【００５７】
また、このとき、ＩＦリミッタ増幅部２７からのＦＭ中間周波信号ＳＦＩ２がアンド回路部３３における一対の入力端の一方に供給され、また、ＦＭ復調部２８からの復調出力信号ＳＯＦが離調検出部３４に供給される。離調検出部３４は、復調出力信号ＳＯＦが、図２の復調特性図において直線Ｌｆによりあらわされるような復調特性のもとで、搬送波周波数を、例えば、１５０ｋＨｚとする適正なＦＭ中間周波信号に復調が施されて得られるもので、所定のレベル範囲（例えば、図２の復調特性図に示されるレベル範囲ＬＤＴ）内のレベルを有するものであるとき高レベルをとり、復調出力信号ＳＯＦが、図２の復調特性図に示されるレベル範囲ＬＤＴの如くの所定のレベル範囲内のレベルを有するものでないとき低レベルをとる検出出力信号ＳＤＤを発生し、それをアンド回路部３３における一対の入力端の他方に供給する。従って、ＦＭ復調部２８からＦＭ中間周波信号ＳＦＩ２に基づく復調出力信号ＳＯＦが得られるもとにあっては、離調検出部３４から高レベルをとる検出出力信号ＳＤＤが発せられて、それがアンド回路部３３における一対の入力端の他方に供給される。
【００５８】
それにより、ＩＦリミッタ増幅部２７からのＦＭ中間周波信号ＳＦＩ２と離調検出部３４からの高レベルをとる検出出力信号ＳＤＤとが供給されるアンド回路部３３の出力端に、ＦＭ中間周波信号ＳＦＩ２に対応する出力信号ＳＦＤが得られて、それが制御ユニット１３に供給される。このとき制御ユニット１３は、アンド回路部３３からの出力信号ＳＦＤに応じて、ミューティング解除制御信号ＣＭＬを送出し、それが出力増幅部３０に供給されるようになす。
【００５９】
ミューティング解除制御信号ＣＭＬが供給される出力増幅部３０にあってはミューティング機能が解除され、それにより、ＦＭ復調部２８からの復調出力信号ＳＯＦが、出力増幅部３０において増幅された後、スイッチ１９を選択接点１９ｆ及び可動接点１９ｃを通じて通過し、出力端子３１を通じてスピーカ３２に供給される。その結果、スピーカ３２から、復調出力信号ＳＯＦに基づく情報再生出力、従って、受信ＦＭ放送波信号ＳＦに基づいた情報再生出力である再生音声が得られる。
【００６０】
このようなもとで、離調検出部３４及びアンド回路部３３は、ＩＦリミッタ増幅部２７を通じたＦＭ中間周波信号ＳＦＩ２とＦＭ復調部２８から得られる復調出力信号ＳＯＦとに基づいて、ＦＭ放送波受信検出信号である出力信号ＳＦＤを得るＦＭ波受信状態検出部を形成している。
【００６１】
上述のように、ＦＭ放送波信号を選択受信する状態がとられたもとで、同調増幅部２０において誤検出が生じ、同調増幅部２０によって受信されるとともに増幅されるＦＭ放送波信号が、同調増幅部２０において設定された同調周波数に対応しない不適正な搬送波周波数を有するものとされる場合には、周波数変換部２４から得られるＦＭ中間周波信号が、例えば、１５０ｋＨｚとされる適正な搬送波周波数とは異なる搬送波周波数を有することになる。それゆえ、斯かるＦＭ中間周波信号にＦＭ復調部２８による復調が施されて得られる復調出力信号ＳＯＦが供給される離調検出部３４から、低レベルをとる検出出力信号ＳＤＤが発せられて、それがアンド回路部３３における一対の入力端の他方に供給され、アンド回路部３３から、ＦＭ中間周波信号ＳＦＩ２に対応する出力信号ＳＦＤは得られず、出力信号ＳＦＤの制御ユニット１３への供給は行われない。
【００６２】
それゆえ、制御ユニット１３からのミューティング解除制御信号ＣＭＬの送出はなされず、従って、出力増幅部３０におけるミューティング機能が解除されず、スピーカ３２からの再生音声は得られない。
【００６３】
斯かる際、制御ユニット１３に、選局部１６からのＦＭ放送波信号についての自動走査選局動作を指示するものとされたコマンド信号ＣＳが供給されている場合には、制御ユニット１３は、コマンド信号ＣＳに従い、アンド回路部３３からＦＭ中間周波信号ＳＦＩ２に対応する出力信号ＳＦＤが得られない事態が確認されると、同調増幅部２０及び局部発振部２１に供給される選局制御電圧信号ＶＣＦを予め設定された態様をもって変化させ、それにより、同調増幅部２０における同調周波数及び局部発振部２１における発振周波数を予め設定された周波数だけ変化させる。その結果、同調増幅部２０において新たな同調周波数が設定されるとともに局部発振部２１において新たな発振周波数が設定され、ＦＭ放送波信号についての自動走査選局動作が行われる。
【００６４】
一方、受信バンド選択部１４からのコマンド信号ＣＢが、ＡＭ放送波信号バンドを指示するものとして、制御端子１５を通じて制御ユニット１３に供給されると、それに応じて、制御ユニット１３から、図３に示される例にＡＭ放送波信号を選択受信する状態をとらせるための、例えば、低レベルをとる制御電圧信号ＶＦＡが送出される。この低レベルをとる制御電圧信号ＶＦＡにより、スイッチ１８についてのその可動接点１８ｃが選択接点１８ａに接続される状態（実線により示される状態）となされる制御，スイッチ１９についてのその可動接点１９ｃが選択接点１９ａに接続される状態（実線により示される状態）となされる制御、及び、図示が省略された他の部分についての制御が行われて、ＡＭ放送波信号を選択受信する状態が設定される。
【００６５】
ＡＭ放送波信号を選択受信する状態が設定されたもとで、選局部１６からのＡＭ放送波信号についての自動走査選局動作を指示するものとされたコマンド信号ＣＳ、あるいは、特定のラジオ放送局からのＡＭ放送波信号についての選局動作を指示するコマンド信号ＣＣが、制御端子１７を通じて制御ユニット１３に供給されると、それに応じて、制御ユニット１３から、選局制御電圧信号ＶＣＡが送出されて同調増幅部３５及び局部発振部３６に供給される。それにより、同調増幅部３５において選局制御電圧信号ＶＣＡに応じた同調周波数が設定されるとともに、局部発振部３６において選局制御電圧信号ＶＣＡに応じた発振周波数が設定される。
【００６６】
このようにして同調増幅部３５において選局制御電圧信号ＶＣＡに応じて設定された同調周波数が、そのときＡＭ信号受信アンテナ１２に到来している複数のラジオ放送局の夫々からのＡＭ放送波信号の一つにおける搬送波周波数に一致もしくは極めて近接することになると、そのＡＭ放送波信号が、アンテナ端子３７を通じて同調増幅部３５により受信され、それとともに増幅されて、受信ＡＭ放送波信号ＳＡとして周波数変換部３８に供給される。周波数変換部３８には、選局制御電圧信号ＶＣＡに応じて設定された発振周波数をもって発振する局部発振部３６からの発振出力信号ＳＬＡ１も供給される。
【００６７】
周波数変換部３８においては、受信ＡＭ放送波信号ＳＡが発振出力信号ＳＬＡ１に基づいて周波数変換され、ＡＭ中間周波信号ＳＡＩ１が形成される。ＡＭ中間周波信号ＳＡＩ１は、受信ＡＭ放送波信号ＳＡの搬送波周波数と発振出力信号ＳＬＡ１の周波数との差の周波数に相当する搬送波周波数を有し、その搬送波周波数は、例えば、４５０ｋＨｚとされる。そして、ＡＭ中間周波信号ＳＡＩ１は、さらに、周波数変換部３９に供給され、周波数変換部３９には、予め設定された一定の発振周波数をもって発振する局部発振部４０からの発振出力信号ＳＬＡ２も供給される。
【００６８】
周波数変換部３９においては、ＡＭ中間周波信号ＳＡＩ１が発振出力信号ＳＬＡ２に基づいて周波数変換され、ＡＭ中間周波信号ＳＡＩ２が形成される。ＡＭ中間周波信号ＳＡＩ２は、ＡＭ中間周波信号ＳＡＩ１の搬送波周波数と発振出力信号ＳＬＡ２の周波数との差の周波数に相当する搬送波周波数を有し、その搬送波周波数は、例えば、４５ｋＨｚとされる。そして、周波数変換部３９から得られる搬送波周波数を、例えば、４５ｋＨｚとするＡＭ中間周波信号ＳＡＩ２は、ＩＦ帯域フィルタ部４１に供給される。ＩＦ帯域フィルタ部４１は、外部から供給される制御電圧信号に応じて、周波数帯域選択特性の調整がなされるものとされる。
【００６９】
上述の同調増幅部３５，局部発振部３６及び４０、及び、周波数変換部３８及び３９を含む部分は、ＡＭ放送波信号を選択受信し、受信されたＡＭ放送波信号に基づくＡＭ中間周波信号を得るＡＭ放送波信号選択受信部を形成している。
【００７０】
ＩＦ帯域フィルタ部４１を通過したＡＭ中間周波信号ＳＡＩ２は、ＩＦ増幅部４２及びスイッチ１８の選択接点１８ａに供給される。ＩＦ増幅部４２により増幅されたＡＭ中間周波信号ＳＡＩ２は、ＡＭ信号に対する復調（ＡＭ復調）を行うＡＭ復調部４３に供給され、ＡＭ復調部４３からＡＭ中間周波信号ＳＡＩ２についての復調出力信号ＳＯＡが得られる。
【００７１】
復調出力信号ＳＯＡは、出力増幅部４５に供給されるとともに、自動ゲイン制御（ＡＧＣ）信号形成部４４に供給される。出力増幅部４５は、ミューティング機能を備えたものとされている。さらに、復調出力信号ＳＯＡは、アンド回路部４６における一対の入力端の一方にも供給される。
【００７２】
ＡＧＣ信号形成部４４にあっては、復調出力信号ＳＯＡのレベルに応じたＡＧＣ信号ＳＧＣが形成される。そして、ＡＧＣ信号ＳＧＣはＩＦ増幅部４２に供給され、それにより、ＩＦ増幅部４２において、復調出力信号ＳＯＡのレベルが所定の値を越えて増大するときゲインが低下せしめられるとともに、復調出力信号ＳＯＡのレベルが所定の値より低いときゲインが増大せしめられるＡＧＣ動作が行われ、復調出力信号ＳＯＡのレベルが常時所定の値をとるべく制御される。
【００７３】
また、スイッチ１８の選択接点１８ａに供給されるＡＭ中間周波信号ＳＡＩ２は、スイッチ１８を選択接点１８ａ及び可動接点１８ｃを通じて通過し、ＦＭ中間周波信号用のＩＦリミッタ増幅部２７に供給される。ＩＦリミッタ増幅部２７は、ＩＦ帯域フィルタ部４１から得られるＡＭ中間周波信号ＳＡＩ２を一定のゲインをもって増幅し、その振幅が一定となるように振幅制限を加えて、ＦＭ復調部２８に供給する。斯かるもとで、スイッチ１８は、ＩＦ帯域フィルタ部４１から得られるＡＭ中間周波信号ＳＡＩ２をＦＭ復調部２８に供給する信号供給選択部を形成している。
【００７４】
このとき、ＦＭ復調部２８には、制御ユニット１３から送出される低レベルをとる制御電圧信号ＶＦＡが供給される加算部２９からの、低レベルをとる制御電圧信号ＶＦＡを含んだ制御電圧信号ＶＣが供給されており、ＦＭ復調部２８における復調特性が、低レベルをとる制御電圧信号ＶＦＡに応じて、例えば、図２の復調特性図において直線Ｌａによりあらわされるような、ＡＭ中間周波信号ＳＡＩ２の復調に適したものに設定される。
【００７５】
そして、ＦＭ復調部２８においては、ＩＦリミッタ増幅部２７からの振幅が一定となるように振幅制限されたＡＭ中間周波信号ＳＡＩ２についての、図２の復調特性図において直線Ｌａによりあらわされるような復調特性をもっての復調が行われ、ＦＭ復調部２８から復調出力信号ＳＯＦが得られる。この復調出力信号ＳＯＦは、ＡＭ中間周波信号ＳＡＩ２の、例えば、４５ｋＨｚとされる搬送波周波数に応じたレベルを有するものとされ、出力増幅部３０に供給されるとともに離調検出部３４にも供給される。
【００７６】
離調検出部３４は、復調出力信号ＳＯＦが、図２の復調特性図において直線Ｌａによりあらわされるような復調特性のもとで、搬送波周波数を、例えば、４５ｋＨｚとする適正なＡＭ中間周波信号ＳＡＩ２に復調が施されて得られるもので、所定のレベル範囲（例えば、図２の復調特性図に示されるレベル範囲ＬＤＴ）内のレベルを有するものであるとき高レベルをとり、復調出力信号ＳＯＦが、図２の復調特性図に示されるレベル範囲ＬＤＴの如くの所定のレベル範囲内のレベルを有するものでないとき低レベルをとる検出出力信号ＳＤＤを発生し、それをアンド回路部４６における一対の入力端の他方に供給する。従って、ＦＭ復調部２８からＡＭ中間周波信号ＳＡＩ２に基づく復調出力信号ＳＯＦが得られるもとにあっては、離調検出部３４から高レベルをとる検出出力信号ＳＤＤが発せられて、それがアンド回路部４６における一対の入力端の他方に供給される。
【００７７】
それにより、ＡＭ復調部４３からの復調出力信号ＳＯＡと離調検出部３４からの高レベルをとる検出出力信号ＳＤＤとが供給されるアンド回路部４６の出力端に、ＡＭ復調部４３からの復調出力信号ＳＯＡに対応する出力信号ＳＡＤが得られて、それが制御ユニット１３に供給される。このとき制御ユニット１３は、アンド回路部４６からの出力信号ＳＡＤに応じて、ミューティング解除制御信号ＣＭＬを送出し、それが出力増幅部４５に供給されるようになす。
【００７８】
ミューティング解除制御信号ＣＭＬが供給される出力増幅部４５にあってはミューティング機能が解除され、それにより、ＡＭ復調部４３からの復調出力信号ＳＯＡが、出力増幅部４５において増幅された後、スイッチ１９を選択接点１９ａ及び可動接点１９ｃを通じて通過し、出力端子３１を通じてスピーカ３２に供給される。その結果、スピーカ３２から、復調出力信号ＳＯＡに基づく情報再生出力、従って、受信ＡＭ放送波信号ＳＡに基づいた情報再生出力である再生音声が得られる。
【００７９】
このようなもとで、出力増幅部３０，出力増幅部４５，スイッチ１９及びスピーカ３２は、情報再生出力を得る出力部を形成している。また、離調検出部３４及びアンド回路部４６は、ＦＭ復調部２８から得られる復調出力信号ＳＯＦとＡＭ復調部４３から得られる復調出力信号ＳＯＡとに基づいて、ＡＭ放送波受信検出信号である出力信号ＳＡＤを得るＡＭ波受信状態検出部を形成している。そして、ＦＭ復調部２８は、それから得られる復調出力信号ＳＯＦがＡＭ中間周波信号ＳＡＩ２の搬送波周波数の検出に供されていて、ＡＭ中間周波信号ＳＡＩ２の搬送波周波数の検出に利用されていることになる。
【００８０】
上述の如くに、ＡＭ放送波信号を選択受信する状態がとられたもとで、同調増幅部３５において誤検出が生じ、同調増幅部３５によって受信されるとともに増幅されるＡＭ放送波信号が、同調増幅部３５において設定された同調周波数に対応しない不適正な搬送波周波数を有するものとされる場合には、周波数変換部３９から得られるＡＭ中間周波信号が、例えば、４５ｋＨｚとされる適正な搬送波周波数とは異なる搬送波周波数を有することになる。それゆえ、斯かるＡＭ中間周波信号がＩＦ帯域フィルタ部４１，スイッチ１８、及び、ＩＦリミッタ増幅部２７を経てＦＭ復調部２８に供給されることにより、ＦＭ復調部２８から得られる復調出力信号ＳＯＦが供給される離調検出部３４から、低レベルをとる検出出力信号ＳＤＤが発せられて、それがアンド回路部４６における一対の入力端の他方に供給され、アンド回路部４６から、ＡＭ復調部４３からの復調出力信号ＳＯＡに対応する出力信号ＳＡＤは得られず、出力信号ＳＡＤの制御ユニット１３への供給は行われない。
【００８１】
それゆえ、制御ユニット１３からのミューティング解除制御信号ＣＭＬの送出はなされず、従って、出力増幅部４５におけるミューティング機能が解除されず、スピーカ３２からの再生音声は得られない。
【００８２】
斯かる際、制御ユニット１３に、選局部１６からのＡＭ放送波信号についての自動走査選局動作を指示するものとされたコマンド信号ＣＳが供給されている場合には、制御ユニット１３は、コマンド信号ＣＳに従い、アンド回路部４６からＡＭ復調部４３において得られる復調出力信号ＳＯＡに対応する出力信号ＳＡＤが得られない事態が確認されると、同調増幅部３５及び局部発振部３６に供給される選局制御電圧信号ＶＣＡを予め設定された態様をもって変化させ、それにより、同調増幅部３５における同調周波数及び局部発振部３６における発振周波数を予め設定された周波数だけ変化させる。その結果、同調増幅部３５において新たな同調周波数が設定されるとともに局部発振部３６において新たな発振周波数が設定され、ＡＭ放送波信号についての自動走査選局動作が行われる。
【００８３】
このような図３に示される例においては、制御ユニット１３，アンド回路部３３及びアンド回路部４６を含む部分によって、ＦＭ復調部２８にＩＦ帯域フィルタ部４１から得られるＡＭ中間周波信号が供給されて得られる復調出力信号を、同調増幅部２０，局部発振部２１及び２５，周波数変換部２３及び２４等を含んで形成されるＦＭ放送波信号選択受信部におけるＦＭ放送波信号についての選択受信状態の制御、及び、同調増幅部３５，局部発振部３６及び４０，周波数変換部３８及び３９等を含んで形成されるＡＭ放送波信号選択受信部におけるＡＭ放送波信号についての選択受信状態の制御に用いる動作制御部が形成されているのである。
【００８４】
そして、図３に示される例にあっては、制御電圧信号ＶＸを形成して、それをＡＭ中間周波信号用のＩＦ帯域フィルタ部４１に供給するとともに、加算部２９からの制御電圧信号ＶＣに含まれるものとしてＦＭ復調部２８に供給する制御電圧形成部４８が設けられている。さらに、制御電圧形成部４８に調整端子４９を介して接続された調整用可変抵抗器５０が設けられている。これらの制御電圧形成部４８及び調整用可変抵抗器５０は、例えば、制御電圧形成部４８が、ＡＭ中間周波信号用のＩＦ帯域フィルタ部４１，ＦＭ復調部２８及びその他の多くの部分と共に集積回路部品内に組み込まれ、それに対して、調整用可変抵抗器５０が、その集積回路部品の外部に配されるものとされる。
【００８５】
斯かるもとで、調整用可変抵抗器５０は、制御電圧形成部４８により形成される制御電圧信号ＶＸを調整する制御信号調整部を形成しており、調整用可変抵抗器５０が、例えば、手動操作されて、その抵抗値が変化せしめられると、制御電圧形成部４８において形成され、ＩＦ帯域フィルタ部４１に供給されるとともに、加算部２９からの制御電圧信号ＶＣに含まれるものとしてＦＭ復調部２８に供給される制御電圧信号ＶＸが、調整用可変抵抗器５０の抵抗値変化に応じて変化せしめられて調整される。それにより、ＩＦ帯域フィルタ部４１における周波数帯域選択特性が制御電圧信号ＶＸの変化に応じて調整されるとともに、ＦＭ復調部２８における復調特性が制御電圧信号ＶＸの変化に応じた制御電圧信号ＶＣの変化に応じて調整される。
【００８６】
このようなＩＦ帯域フィルタ部４１における周波数帯域選択特性の調整及びＦＭ復調部２８における復調特性の調整は、例えば、ＩＦ帯域フィルタ部４１，ＦＭ復調部２８及びそれらの周辺回路部分を構成する半導体素子等の回路素子の特性のばらつきに起因して、ＩＦ帯域フィルタ部４１の周波数帯域選択特性及びＦＭ復調部２８の復調特性が所望のものからのずれを生じた場合、各特性を所望のものに合致させるべく行われる。そして、斯かる調整は、集積回路部品の外部に配された調整用可変抵抗器５０が、例えば、手動操作されてその抵抗値が変化せしめられることにより行われることになる。
【産業上の利用可能性】
【００８７】
上述のような本願の特許請求の範囲における請求項１から請求項５までのいずれかに記載された発明に係るパルスカウント型復調回路は、ＦＭ放送信号及びＡＭ放送波信号の夫々を選択受信し、受信されたＦＭもしくはＡＭ放送波信号に基づく情報再生出力を得る放送波信号受信装置において、受信されたＦＭ放送波信号に基づくＦＭ中間周波信号に対する復調処理を適正に行うとともに、受信されたＡＭ放送波信号に基づくＡＭ中間周波信号の搬送波周波数の確実な検出に供されるＦＭ復調部を構成できるものとして、広く活用され得るものである。
【図面の簡単な説明】
【００８８】
【図１】本願の特許請求の範囲における請求項１から請求項５までのいずれかに記載された発明に係るパルスカウント型復調回路の一例を示す回路接続図である。
【図２】図１に示される例の復調特性の説明に供される特性図である。
【図３】図１に示される例が適用されて構成されたＦＭ復調部を備える放送波信号受信装置の一例を示すブロック接続図である。
【符号の説明】
【００８９】
１１・・・ＦＭ信号受信アンテナ，  １２・・・ＡＭ信号受信アンテナ，  １３・・・制御ユニット，  １４・・・受信バンド選択部，  １６・・・選局部，  １８，１９・・・スイッチ，  ２０，３５・・・同調増幅部，  ２１，２５，３６，４０・・・局部発振部，  ２３，２４，３８，３９・・・周波数変換部，  ２６，４１・・・ＩＦ帯域フィルタ部，  ２７・・・ＩＦリミッタ増幅部，  ２８・・・ＦＭ復調部，  ２９・・・加算部，  ３０，４５・・・出力増幅部，  ３２・・・スピーカ，  ３３，４６・・・アンド回路部，  ３４・・・離調検出部，  ４２・・・ＩＦ増幅部，  ４３・・・ＡＭ復調部，  ４４・・・ＡＧＣ信号形成部，  ４８・・・制御電圧形成部，  ５０・・・調整用可変抵抗器，  １５２，１５７，１７０，１９５・・・容量素子，  １５５，１６０・・・微分回路部，  １５６，１９０・・・演算増幅器，  １６１，１６２，１６８，１６９・・・トリガ信号形成部を形成するトランジスタ，  １７１，１７２・・・Ｍ．Ｍ．部を形成するトランジスタ，  １７６，２００〜２０４，２０６，２０７，２０９〜２１１，２１２，２１３，２１５〜２１７，・・・可変電流源部を形成するトランジスタ，  １７８，１８７，２０５，２１８・・・電流源，  １８１〜１８６・・・パルス電流送出部を形成するトランジスタ，  １８８・・・電流ー電圧変換部
【図１】
2005124235.tif 000003
【図２】
2005124235.tif 000004
【図３】
2005124235.tif 000005